【手続補正書】
【提出日】平成17年11月14日(2005.11.14)
【手続補正１】
【補正対象書類名】明細書
【補正対象項目名】特許請求の範囲
【補正方法】変更
【補正の内容】
【特許請求の範囲】
【請求項１】
金属イオンを溶出するイオン溶出手段と、
洗濯コースを選択してその実行を指示するための入力部とを備えた洗濯機であって、
上記入力部により、洗濯槽と水槽とのうち少なくとも一方の槽を洗浄する槽洗浄コースの実行が指示されたときに、上記イオン溶出手段にて溶出された金属イオンを含む金属イオン添加水を上記槽に供給する制御手段を備えていることを特徴とする洗濯機。
【請求項２】
上記槽洗浄コースは、槽洗浄剤を含む水で上記槽を洗浄する洗い工程を含んでおり、
上記制御手段は、上記洗い工程にて、上記金属イオン添加水を上記槽に供給することを特徴とする請求項１に記載の洗濯機。
【請求項３】
上記槽は、上記洗い工程にて、つけおき洗いされることを特徴とする請求項２に記載の洗濯機。
【請求項４】
上記制御手段は、上記洗い工程において、上記槽洗浄剤を上記槽に投入してから所定時間経過後に、上記金属イオン添加水を上記槽に供給することを特徴とする請求項２または３に記載の洗濯機。
【請求項５】
上記槽洗浄コースは、すすぎ工程を含んでおり、
上記制御手段は、上記すすぎ工程にて、上記金属イオン添加水を上記槽に供給することを特徴とする請求項１ないし４のいずれかに記載の洗濯機。
【請求項６】
上記槽洗浄コースは、脱水工程を含んでおり、
上記制御手段は、上記脱水工程にて、上記金属イオン添加水を上記槽に供給することを特徴とする請求項１ないし５のいずれかに記載の洗濯機。
【請求項７】
上記洗濯コースは、上記槽洗浄コースと、洗濯物に対して抗菌処理を行う抗菌処理コースとを含んでおり、
上記制御手段は、上記入力部により、上記抗菌処理コースの実行が指示されたときに、上記イオン溶出手段にて溶出された金属イオンを含む金属イオン添加水を上記槽に供給することを特徴とする請求項１ないし６のいずれかに記載の洗濯機。
【請求項８】
上記制御手段は、上記槽洗浄コースでは、上記抗菌処理コースに比べて、用いる金属イオン添加水の金属イオン濃度を高くすることを特徴とする請求項７に記載の洗濯機。
【請求項９】
上記制御手段は、上記槽洗浄コースでは、上記抗菌処理コースに比べて、金属イオン添加水を投入してから排水するまでの抗菌処理時間を短くすることを特徴とする請求項７または８に記載の洗濯機。
【請求項１０】
上記制御手段は、上記槽洗浄コースでは、上記抗菌処理コースに比べて、脱水工程の時間を長くすることを特徴とする請求項７ないし９のいずれかに記載の洗濯機。
【請求項１１】
上記制御手段は、上記槽洗浄コースにおいて、上記金属イオン添加水を上記槽に供給する工程のうち最終の工程よりも後で、乾燥工程を実行させることを特徴とする請求項１ないし１０のいずれかに記載の洗濯機。
【請求項１２】
上記制御手段は、洗濯物の乾燥工程を有する洗濯コースの当該乾燥工程よりも乾燥目標温度が高くなるように、上記槽洗浄コースの乾燥工程を実行させることを特徴とする請求項１１に記載の洗濯機。
【請求項１３】
上記槽に供給される上記金属イオン添加水の水量または水位を設定する設定手段をさらに備え、
上記制御手段は、上記槽洗浄コースでは、上記設定手段にて設定された水量または水位に応じて、上記金属イオン添加水の金属イオン濃度を変更することを特徴とする請求項１ないし１２のいずれかに記載の洗濯機。
【請求項１４】
洗濯運転の実行回数を記憶する運転回数記憶手段をさらに備え、
上記制御手段は、上記槽洗浄コースでは、上記実行回数に応じて、上記金属イオン添加水の金属イオン濃度を変更することを特徴とする請求項１ないし１３のいずれかに記載の洗濯機。
【手続補正２】
【補正対象書類名】明細書
【補正対象項目名】００２３
【補正方法】削除
【補正の内容】
【手続補正３】
【補正対象書類名】明細書
【補正対象項目名】００２４
【補正方法】削除
【補正の内容】
【手続補正４】
【補正対象書類名】明細書
【補正対象項目名】００２５
【補正方法】変更
【補正の内容】
【００２５】
（６）本発明の洗濯機は、上記槽洗浄コースは、脱水工程を含んでおり、上記制御手段は、上記脱水工程にて、上記金属イオン添加水を上記槽に供給する構成であってもよい。
【手続補正５】
【補正対象書類名】明細書
【補正対象項目名】００２７
【補正方法】削除
【補正の内容】
【手続補正６】
【補正対象書類名】明細書
【補正対象項目名】００２８
【補正方法】削除
【補正の内容】
【手続補正７】
【補正対象書類名】明細書
【補正対象項目名】００２９
【補正方法】削除
【補正の内容】
【手続補正８】
【補正対象書類名】明細書
【補正対象項目名】００３０
【補正方法】削除
【補正の内容】
【手続補正９】
【補正対象書類名】明細書
【補正対象項目名】００３１
【補正方法】削除
【補正の内容】
【手続補正１０】
【補正対象書類名】明細書
【補正対象項目名】００３２
【補正方法】削除
【補正の内容】
【手続補正１１】
【補正対象書類名】明細書
【補正対象項目名】００３３
【補正方法】削除
【補正の内容】
【手続補正１２】
【補正対象書類名】明細書
【補正対象項目名】００３４
【補正方法】削除
【補正の内容】
【手続補正１３】
【補正対象書類名】明細書
【補正対象項目名】００３５
【補正方法】変更
【補正の内容】
【００３５】
（７）本発明の洗濯機は、上記洗濯コースは、上記槽洗浄コースと、洗濯物に対して抗菌処理を行う抗菌処理コースとを含んでおり、上記制御手段は、上記入力部により、上記抗菌処理コースの実行が指示されたときに、上記イオン溶出手段にて溶出された金属イオンを含む金属イオン添加水を上記槽に供給する構成であってもよい。
【手続補正１４】
【補正対象書類名】明細書
【補正対象項目名】００３７
【補正方法】変更
【補正の内容】
【００３７】
（８）本発明の洗濯機は、上記制御手段は、上記槽洗浄コースでは、上記抗菌処理コースに比べて、用いる金属イオン添加水の金属イオン濃度を高くする構成であってもよい。
【手続補正１５】
【補正対象書類名】明細書
【補正対象項目名】００４０
【補正方法】変更
【補正の内容】
【００４０】
（９）本発明の洗濯機は、上記制御手段は、上記槽洗浄コースでは、上記抗菌処理コースに比べて、（例えばすすぎ工程において）金属イオン添加水を投入してから排水するまでの抗菌処理時間を短くする構成であってもよい。
【手続補正１６】
【補正対象書類名】明細書
【補正対象項目名】００４３
【補正方法】変更
【補正の内容】
【００４３】
（１０）本発明の洗濯機は、上記制御手段は、上記槽洗浄コースでは、上記抗菌処理コースに比べて、脱水工程の時間を長くする構成であってもよい。
【手続補正１７】
【補正対象書類名】明細書
【補正対象項目名】００４５
【補正方法】変更
【補正の内容】
【００４５】
（１１）本発明の洗濯機は、上記制御手段は、上記槽洗浄コースにおいて、上記金属イオン添加水を上記槽に供給する工程のうち最終の工程よりも後で、乾燥工程を実行させる構成であってもよい。
【手続補正１８】
【補正対象書類名】明細書
【補正対象項目名】００４７
【補正方法】変更
【補正の内容】
【００４７】
（１２）本発明の洗濯機は、上記制御手段は、洗濯物の乾燥工程を有する洗濯コースの当該乾燥工程よりも乾燥目標温度が高くなるように、上記槽洗浄コースの乾燥工程を実行させる構成であってもよい。
【手続補正１９】
【補正対象書類名】明細書
【補正対象項目名】００４９
【補正方法】変更
【補正の内容】
【００４９】
（１３）本発明の洗濯機は、上記槽に供給される上記金属イオン添加水の水量または水位を設定する設定手段をさらに備え、上記制御手段は、上記槽洗浄コースでは、上記設定手段にて設定された水量または水位に応じて、上記金属イオン添加水の金属イオン濃度を変更する構成であってもよい。
【手続補正２０】
【補正対象書類名】明細書
【補正対象項目名】００５２
【補正方法】変更
【補正の内容】
【００５２】
（１４）本発明の洗濯機は、洗濯運転の実行回数を記憶する運転回数記憶手段をさらに備え、上記制御手段は、上記槽洗浄コースでは、上記実行回数に応じて、上記金属イオン添加水の金属イオン濃度を変更する構成であってもよい。
【手続補正２１】
【補正対象書類名】明細書
【補正対象項目名】００５４
【補正方法】削除
【補正の内容】
【手続補正２２】
【補正対象書類名】明細書
【補正対象項目名】００５５
【補正方法】削除
【補正の内容】
【手続補正２３】
【補正対象書類名】明細書
【補正対象項目名】００５６
【補正方法】削除
【補正の内容】
【手続補正２４】
【補正対象書類名】明細書
【補正対象項目名】００５７
【補正方法】削除
【補正の内容】
【手続補正２５】
【補正対象書類名】明細書
【補正対象項目名】００５８
【補正方法】削除
【補正の内容】
【手続補正２６】
【補正対象書類名】明細書
【補正対象項目名】００５９
【補正方法】削除
【補正の内容】
【手続補正２７】
【補正対象書類名】明細書
【補正対象項目名】０１４９
【補正方法】変更
【補正の内容】
【０１４９】
本実施形態では、操作／表示部８１（入力部）により槽洗浄コースの実行が指示されると、制御部８０（制御手段）は、槽洗浄コースの上記した各工程（洗い工程、すすぎ工程、脱水工程）において、イオン溶出ユニット１００にて溶出された金属イオン（銀イオン）を含む金属イオン添加水を上記槽に供給する制御を行っている。つまり、本発明は、槽洗浄コースにおいて、漂白作用を有する物質（除菌剤）を槽に投入するのではなく、抗菌、除菌作用のある金属イオン添加水を槽に投入している点で、従来と大きく異なっている。以下、各工程ごとに、図１１を参照しながら槽洗浄について説明する。